(57)【特許請求の範囲】
【請求項１】
回転に関して固定され、かつ取り外し可能な方法で互いに連結された少なくとも２本のロッド要素を有するドリルロッドであって、
前記ロッド要素のそれぞれが、環または円筒形状の受け入れ空間が間に形成された内管および外管を有し、
前記ロッド要素のそれぞれが、当該ドリルロッドの長手方向軸に沿って延び、エネルギまたはデータの一方または双方を伝送する伝送ラインを有し、
前記ロッド要素の前記伝送ラインが、誘導コイルにそれぞれ接続され、前記誘導コイルは、前記ドリルロッドに沿ったエネルギおよびデータの一方または双方の伝送のために電磁的に互いに結合され得る、
ドリルロッドにおいて、
第１のロッド要素は、その内管の外周に位置する内側誘導コイルを有し、第２のロッド要素は、その外管の内周に位置する外側誘導コイルを有し、
内側誘導コイルと外側誘導コイルは、複数のリングセグメント部から分節的に構築され、互いに少なくとも一部の領域において径方向に対向して重なる、
ドリルロッド。
【請求項２】
請求項１に記載のドリルロッドであって、前記内側誘導コイルおよび前記外側誘導コイルの少なくとも１つがリング形状の受け入れ溝内に配置される、ドリルロッド。
【請求項３】
請求項１に記載のドリルロッドであって、少なくとも２つのリングセグメント部が、互いに取り外し可能に連結される、ドリルロッド。
【請求項４】
請求項１に記載のドリルロッドであって、少なくとも２つのリングセグメント部が、互いに回動可能に連結される、ドリルロッド。
【請求項５】
請求項１に記載のドリルロッドであって、
前記第１のロッド要素の前記内管が、別の内管との連結のためのプラグ形状またはスリーブ形状の接合領域を有し、
前記内側誘導コイルが、前記プラグ形状またはスリーブ形状の接合領域から軸方向に離間されるように配置される、ドリルロッド。
【請求項６】
請求項１に記載のドリルロッドであって、前記外側誘導コイルが、前記第２のロッド要素の前記外管のプラグ形状の接合部の内側に配置される、ドリルロッド。
【請求項７】
請求項１に記載のドリルロッドであって、前記ロッド要素の少なくとも１つが装着スリーブを備え、装着スリーブには前記内側誘導コイルおよび前記外側誘導コイルの一方または双方が装着される、ドリルロッド。
【請求項８】
請求項７に記載のドリルロッドであって、前記装着スリーブが、前記第１のロッド要素の前記内管の基本管体の軸方向の延長部内に配置された管形状のセクションを有する、ドリルロッド。
【請求項９】
請求項７に記載のドリルロッドであって、前記装着スリーブが、前記外管の接合部内に挿入される、ドリルロッド。
【請求項１０】
請求項７に記載のドリルロッドであって、前記装着スリーブが、前記伝送ラインのためのケーブルチャネルを有する、ドリルロッド。
【請求項１１】
請求項１に記載のドリルロッドであって、前記第１のロッド要素および前記第２のロッド要素の一方または双方の前記外管が、前記伝送ラインへのアクセスのために開くことができるキャップを有する、ドリルロッド。
【発明の詳細な説明】
【技術分野】
【０００１】
本発明は、請求項１のプリアンブルによる、回転に関して固定されかつ取り外し可能な方法で互いに連結された少なくとも２本のロッド要素を有するドリルロッドに関する。
【背景技術】
【０００２】
ドリルロッドのロッド要素それぞれは、環または円筒形状の受け入れ空間が間に形成された内管および外管を有する。さらに、それぞれのロッド要素は、ドリルロッドの長手方向軸に沿って延びるエネルギライン、データライン、またはエネルギとデータの双方を送るラインを有する。以降、これらのラインを総称して伝送ラインと記す。ロッド要素の伝送ラインは、誘導コイルにそれぞれ連結され、この場合誘導コイルは、ドリルロッドに沿ったエネルギやデータの伝送のために電磁的に互いに結合され得る。
【０００３】
対象となるドリルロッドは、特に、地面内に穴を作り出すためのオーガのドリルロッドになり得る。そのような穴は、たとえば、地盤改良の目的で、または埋め込み杭（場所打ち杭）または止水壁を作り出すために作られる。
【０００４】
地面に作り出される穴は、かなりの深さまたは長さを有することが多いという事実により、ドリルロッドは、たいてい複数のロッド要素からなる複合部分から構築される。個々のロッド要素は、隣接するロッド要素との機械的連結のためにその端部に連結手段を有する。たとえば、ロッド要素の第１の端部は雄結合領域を有し、第１の端部の反対側に位置する第２の端部は雌結合領域を有する。このようにして、ほぼ同一設計のものである複数のロッド要素は、連結されてドリルロッドまたはドリルストリングに構成され得る。この連結では、外管だけでなく内管も互いに連結される必要があることが重要である。
【０００５】
穴を作り出す間、掘削孔の内側の位置、特に掘削孔の先端部の位置のデータを掘削装置のオペレータに伝送することがしばしば望ましい。そのようなデータは、たとえば掘削孔内の圧力または温度値、傾斜角度または塩分を含むことができる。さらには、特定の掘削方法では、作動パラメータなどのデータを掘削孔の先端部または掘削ヘッドに伝送することが有利になり得る。これらの目的のために、ドリルロッド内に伝送ラインを設けることが知られており、伝送ラインを介して情報をドリルロッドに沿って伝送することができる。
【０００６】
各々が外管および内管を備える２本のロッドセグメントを有するオーガの例が、ＤＥ２９９１４４９４Ｕ１に説明されている。内管と外管の間には、ケーブルが、各々のロッドセグメント内に導かれている。ケーブルは、プラグ連結部（plug connection）を用いて互いに結合される。
【０００７】
ドリルストリングの内側でラインを連結するために、ロッド要素の軸方向端部に誘導コイルを設けることがさらに知られており、誘導コイルを介して、ラインを電磁的に結合させることができる。
【０００８】
電磁結合の例は、二重管の場合ではないが、ＵＳ２００２／０１９３００４Ａ１に開示されている。誘導コイルは、ロッド要素の軸方向の連結領域上に直接配置される。
【先行技術文献】
【特許文献】
【０００９】
【特許文献１】独国実用新案第２９９１４４９４号明細書
【特許文献２】米国特許出願公開第２００２／０１９３００４号明細書
【発明の概要】
【発明が解決しようとする課題】
【００１０】
本発明は、内管および外管を備えたロッド要素からなるドリルロッド内の伝送ラインのためのコンパクトで換装が容易な連結を提供する目的に基づいている。
【課題を解決するための手段】
【００１１】
本目的は、本発明により、請求項１の特徴を有するドリルロッドによって解決される。好ましい実施形態を、従属請求項ならびに本説明および図において述べる。
【００１２】
本発明によるドリルロッドは、第１のロッド要素が、その内管の外周に位置する内側誘導コイルを有し、第２のロッド要素が、その外管の内周に位置する外側誘導コイルを有すること、およびこれらの誘導コイルのそれぞれが複数のリングセグメント部から分節的に構築され、互いに少なくとも一部の領域において径方向に対向して重なることを特徴とする。
【００１３】
基本的に、ドリルロッドは、いかなる掘削方法においても、またいかなる所望の掘削装置でも使用可能である。二重ロッドとも称され得るドリルロッドの内管は、たとえばいわゆるフラッシュ管として使用可能である。多くの場合、地面内の穴は、フラッシング式で実行され、すなわちフラッシング液体が、ドリルロッドを介して地面内に導入され、掘削孔底部のドリルロッドから送り出され、除去された掘削廃物を流し戻す。故に、この場合、内管は、フラッシング液体を掘削孔内に導入するように機能する。
【００１４】
内管の別の機能はまた、硬化懸濁液を導入することにあり得る。埋め込み杭を作り出すために、たとえばコンクリートが、掘削の完了時、ドリルロッドの引き抜き中に内管を介して掘削孔に導入され得る。したがって、内管はまた、コンクリート管とも称され得る。
【００１５】
本発明の第１の基本的な思想は、相互に動作可能に結合している誘導コイルが、１つの同じ管、すなわちいずれもが内管上に、または外管上には設けられず、第１の誘導コイルはそれぞれのロッド要素の内管上に配置され、第２の誘導コイルはそれぞれのロッド要素の外管上に配置されるという事実にある。故に、本発明によれば、誘導コイルは、内側ロッドと外側ロッドの間に配置される。その結果、ロッド要素の正面またはロッド要素の連結領域は、通常の連結器システムを、制限がかかることなく依然として使用できるように保たれ得る。本発明による誘導コイルの構成は、したがって、既存のドリルロッドまたはロッド要素を容易に換装する実現性を提供し、その場合、すでに存在している連結システム、特に外管のものを続けて使用することができる。
【００１６】
本発明の別の基本的な思想は、相互に動作可能に結合している誘導コイルが、相互に連結されたロッド要素においては、誘導コイル同士が径方向に重なるように、すなわちこれらが少なくとも一部の領域において互いに対して径方向に位置するように配置されるという事実において見出され得る。互いに対する誘導コイルの径方向の配置はまた、ロッド要素の軸方向正面が自由なままとすることができるため、つまり誘導コイルの配置による制限を受けないようにできるため換装する可能性をさらに高める。
【００１７】
誘導コイルの容易な取り付けのために、これらは、本発明による複数のセグメントから構築される。これは、特に、誘導コイルが、１つの部分から構成されるのではなく、複数の部分から構成されるということで理解されるものである。個々の部分すなわちリングセグメントは、リング形状のコイルのリングの一部を形成する。
【００１８】
本発明は、誘導コイルを、２本のロッド要素間の移行部上であるが、ロッド要素の連結または結合領域の外側に配置する可能性をもたらす。このようにして、連結領域は、誘導コイルによって妨げられない。ここでは連結領域は、特に、外管と内管の一方または両方の、互いの間のそれぞれの管の回転方向かつ軸方向に関し固定された連結のために機能するセクションとして理解される。連結領域は、たとえばねじ山、１つまたは複数の溝、スナップロックまたはプラグ連結部または他の連結器システムを含むことができる。本発明によれば、誘導コイルは、好ましくは、ロッド要素の連結領域または連結表面から軸方向および径方向の一方または双方において離間されるように配置される。
【００１９】
特にコンパクトな配置を達成するために、誘導コイルの少なくとも１つは、リング形状の受け入れ溝内に配置されることが好ましい。受け入れ溝は、特に、内管の外周に位置する外側溝または外管の内周に位置する内側溝になり得る。したがって、内側誘導コイルが第１のロッド要素の内管の外側溝内に配置されることと、外側誘導コイルが第２のロッド要素の外管の内側溝内に配置されることの一方または双方が実施されることが特に好ましい。複数のリングセグメント部から構築された分割された誘導コイルのため、これらは、それぞれの溝内に挿入することが特に容易である。
【００２０】
誘導コイルの取り扱い、特にそれぞれの溝内の挿入は、少なくとも２つのリングセグメント部が、互いに取り外し可能に連結されることで容易となり得る。ここでは、取り外し可能な連結は、特に、工具または手で取り外すことができ、かつ特に取り外しプロセスを逆行することによって再度復元することができるような連結として理解される。取り外し可能な連結では、連結された要素は、互いから取り外されたときに重大な損傷を被らない。取り外し可能な連結部は、たとえばねじ、プラグまたはスナップロック連結であり得る。
【００２１】
少なくとも２つのリングセグメント部が互いに対して移動可能である、誘導コイルに関する別の好ましい実施形態が、提供される。このようにして、誘導コイルの形状は、コイルの溝内への挿入がさらに容易にされるように改変され得る。少なくとも２つのリングセグメント部が、互いに回動可能に連結されることが特に好ましい。誘導コイルの長手方向軸に特に平行に通ることができる回動軸を有する回動式連結の結果、コイルをそれぞれのロッド要素内に挿入することをさらに容易にすることが、有利な方法で達成される。挿入された誘導コイルを安全に保持するために、回動式連結を封止するための手段が設けられ得る。
【００２２】
本発明のさらに好ましい実施形態では、第１のロッド要素の内管が別の内管との連結のためのプラグ形状またはスリーブ形状の接合領域を有し、内側誘導コイルをプラグ形状またはスリーブ形状の接合領域から軸方向に離間されるように配置する対策がなされる。その結果、接合領域は、誘導コイルからの妨害なく、隣接するロッド要素の内管を接合するのに利用可能である。特に、内管は、接合領域から軸方向に離間されるように設けられた受け入れ溝を有することができ、この受け入れ溝内には誘導コイルが配置される。
【００２３】
本発明の特に好ましい実施形態では、外側誘導コイルを第２のロッド要素の外管のプラグ形状の接合部分の内側に配置する対策がなされる。故に、接合されたロッド要素の場合、外側誘導コイルは、好ましくは第２のロッド要素の外管のプラグ形状の接合部の径方向において内側に位置するように配置される。
【００２４】
掘削中、かなりのトルクが、通常、外管および２つの隣接する外管の間の管連結部を介して伝達される。外側誘導コイルが、外管の接合部の径方向において内側に配置されるという事実により、前記接合部は、機械的安定性をもたらすために十分に利用可能である。特に、これは、プラグ形状の接合部の連結領域が、たいてい接合部の外側円周に配置され、したがって誘導コイルを配置することによる制限を全く受けない状態に保たれ得るという事実にも帰することができる。さらには、接合部内側のコイルの配置は、すでに存在しているプラグ形状の接合部が、誘導コイルの換装の場合にほとんど変わらないままで依然として使用され得ることを可能にする。故に、ロッド要素は、誘導コイルを、外管のその内周上のプラグ形状の接合部上に配置するだけで換装され得る。
【００２５】
欠陥があった場合の換装および取り換えを簡単に行うことは、ロッド要素の少なくとも１つが、内側誘導コイルと外側誘導コイルの一方または双方が装着されるアダプタまたは装着スリーブを備えることで達成され得る。故に、装着スリーブは、第１のロッド要素の内管のセクションと第２のロッド要素の外管のセクションの一方または両方を少なくとも部分的に形成する。
【００２６】
より好適には、装着スリーブは、ロッド要素とは別個の部分であり、この部分は、特に固定されるように、好ましくは軸方向かつ回転方向において固定されるようにロッド要素に結合される。故に、挿入された装着スリーブは、好ましくはロッド要素に対して移動可能ではない。特に、装着スリーブを内管と外管の一方または双方の基本管体に溶接する、押し付けるまたはねじ込む対策がなされ得る。装着スリーブの取り換えのために、これは、好ましくは、取り外し可能にロッド要素内に挿入される。装着スリーブをロッド要素内に長手方向に導入できれば特に好ましい。
【００２７】
より好適には、第１のロッド要素は第１の装着スリーブを有し、第２のロッド要素は第２の装着スリーブを有する。好ましい実施形態では、これらの装着スリーブは、互いに機械的に結合され得る。
【００２８】
特に外側誘導コイルに関して、装着スリーブは、好ましくは外管の基本管体または接合領域内に挿入するように設計される。したがって、外側誘導コイルのための装着スリーブは、基本的には、トルクおよび軸方向の力を伝達する前記外管を特別に適合させることなく外管内に挿入され得る。
【００２９】
特に内側誘導コイルに関して、装着スリーブは、内管の基本管体の外周上に配置されれば有利になり得る。しかし、通常、より少量の力が、外管を介してではなく内管を介して伝達されるという事実により、内側誘導コイルのための装着スリーブが、内管の基本管体の軸方向の延長部内に配置されれば特にコンパクトな配置には有利になり得る。
【００３０】
より好適には、装着スリーブは、内側誘導コイルと外側誘導コイルの一方または双方のための受け入れ領域を含む。この目的のため、たとえば内側溝と外側溝の一方または双方が、装着スリーブ上に設けられ得る。
【００３１】
装着スリーブは、第１のロッド要素の内管の基本管体の軸方向の延長部に配置された管形状のセクションを有することが特に好ましい。また、内管の既存の軸方向の端部領域に加えて装着スリーブを設けることも可能である。故に、既存のロッド要素は、その内管の軸方向端部が、内側誘導コイルを備えた装着スリーブによって取り換えられまたは補強されることで、特に容易な方法で換装され得る。
【００３２】
別の好ましい実施形態は、装着スリーブが、外管の接合部内に挿入されるという事実にある。これは、ロッド要素を換装する簡単な可能性をもたらし、その場合、かなりの力がそれを介して伝達される可能性がある外管の接合部は、ほとんど変わらないままとすることができる。特に、本発明により、装着スリーブが、外管のプラグ形状の接合部の内側に配置または固定され、また内側に配置かつ固定されることが好ましい。このようにして、外側誘導コイルは、外管に容易に取り付けられ得る。
【００３３】
伝送ラインの誘導のために、装着スリーブは、好ましくはケーブルチャネルを有する。ケーブルチャネルは、伝送ラインのための開口部を含むことができ、この開口部を介して、内側と外側誘導コイルの一方または双方の伝送ラインが内管と外管の間のリング空間内に導かれる。より好適には、ケーブルチャネルは、ロッド要素およびドリルロッドの長手方向にそれぞれ延びる。
【００３４】
ドリルロッドの整備を容易にすることは、第１のロッド要素と第２のロッド要素の一方または双方の外管が、伝送ラインへのアクセスのために開くことができるキャップを有することで達成される。
【図面の簡単な説明】
【００３５】
【図１】分離された装着スリーブおよび誘導コイルを備えたドリルロッドのロッド要素の断面図である。
【図２】挿入された装着スリーブおよび誘導コイルを備えた図１のロッド要素の断面図である。
【図３】図１のロッド要素の上側セクションの斜視図である。
【図４】図１のロッド要素の下側セクションの斜視図である。
【図５】内側誘導コイルの側面図である。
【図６】第１の装着スリーブの側面図である。
【図７】図８の線Ａ−Ａに沿った図６の装着スリーブの断面図である。
【図８】挿入された内側誘導コイルを備えた図６の装着スリーブの側面図である。
【図９】分離された内側誘導コイルを備えた図６の装着スリーブの斜視図である。
【図１０】挿入された内側誘導コイルを備えた図６の装着スリーブの斜視図である。
【図１１】内側誘導コイルの斜視図である。
【図１２】図１４の線Ａ−Ａに沿った図１１の内側誘導コイルの断面図である。
【図１３】図１１の内側誘導コイルの縦方向の断面図である。
【図１４】図１１の内側誘導コイルの正面からの図である。
【図１５】分離された外側誘導コイルを備えた第２の装着スリーブの断面図である。
【図１６】挿入された外側誘導コイルを備えた図１５の第２の装着スリーブの断面図である。
【図１７】挿入された誘導コイルを備えた図１５の第２の装着スリーブの斜視図である。
【図１８】外側誘導コイルの斜視図である。
【図１９】図２１の線Ａ−Ａに沿った図１８の外側誘導コイルの断面図である。
【図２０】図１８の外側誘導コイルの縦方向の断面図である。
【図２１】図１８の外側誘導コイルの正面からの図である。
【図２２】内側誘導コイルの斜視図である。
【図２３】外側誘導コイルの斜視図である。
【発明を実施するための形態】
【００３６】
以下では、本発明を、添付の概略図に示す好ましい実施形態によってさらに説明する。すべての図において、同一または対応する構成要素には、同じ参照記号が与えられる。
【００３７】
図１および図２は、本発明によるドリルロッド１のロッド要素１０の実施形態を示しており、ロッド要素１０は、第１の軸方向端部１２に第１の接合領域および第２の軸方向端部１３に第２の接合領域を有する。２つの接合領域上では、別のロッド要素が、いずれの場合にも接合され得る。その結果、ほぼ同じ構造を有することができる複数のロッド要素を互いに連結することにより、基本的にあらゆる長さのドリルロッドを形成することができる。ドリルロッドの長手方向軸は、参照記号１４で示されている。
【００３８】
図３は、ロッド要素１０の上側の軸方向端部の詳細を斜視図で示している。図４では、ロッド要素１０の下側の軸方向端部が、斜視図で示されている。
【００３９】
以下では、本発明によるドリルロッドの構成要素になり得るロッド要素１０の実施形態を、図１から４を参照して説明する。
【００４０】
ロッド要素１０は、これと同軸に配置された内管２０および外管４０を有する。内管２０および外管４０は、回転に関して固定されるように互いに連結され、すなわち内管２０と外管４０の間の相対回転移動は、本質的に可能でない。
【００４１】
内管２０と外管４０の間には、環または円筒形状の受け入れ空間１６が形成され、その中には、図１および２においてのみ概略的に示される少なくとも１本のケーブル１７が、配置される。したがって、内管２０と外管４０の間の環または円筒形状の空間またはそのセクションはまた、ケーブル収容部とも称され得る。外管４０は、ケーブル収容部または代替的に受け入れ空間１６を開くためのキャップ１８を有する。この方法では、ケーブル収容部または受け入れ空間１６への容易なアクセスが享受可能である。受け入れ空間１６内では、チャネル１５が少なくともケーブル（または該当する場合には複数のケーブル）１７用のセクション内に形成される。
【００４２】
内管２０は、ロッド要素１０の長さのかなりの部分にわたって延びる基本管体２２を備える。基本管体２２は、ほぼ一定の壁厚さを備えた管形状の構造を有する。図１および２に示す基本管体２２の下側端部には、内管２０の一部を形成する第１の中間部分２４が設けられる。図１および２から看取できるように、第１の中間部分は外管４０の一部も同様に構成する。第１の中間部分２４内には、軸方向のチャネル２８がケーブル１７を通過させるために設けられる。
【００４３】
内管２０の第２の上側端部には、第２の中間部分２６が設けられる。第２の中間部分２６は外管４０の内側に配置され、これに堅固に連結される。より好適には、中間部分２６は外管４０に圧入もしくは溶接されるか、または圧入後溶接される。
【００４４】
第１の中間部分２４および第２の中間部分２６は、装着スリーブ６０，８０の結合のために機能する。中間部分２４，２６は、したがって結合部分とも称され得る。
【００４５】
外管４０は、外管４０の長さのかなりの部分に沿って延びる管形状の基本管体４１を備える。外管４０の軸方向の両端部には、接合部４２が、隣接する外管との連結のためにいずれの場合にも設けられる。図１および２の底部に示す外管４０の端部は、雌接合部とも称され得る受け入れソケット４４を備える。図示した実施形態では、受け入れソケット４４は、堅固に結合された、特に互いに溶接された第１のソケット部４５および第２のソケット部４６を備える。受け入れソケット４４内には、軸方向のリブ４７および軸方向の溝４８が、隣接する外管との回転に関して固定される方式の連結をもたらすために設けられる。加えて、受け入れソケット４４は、隣接する外管との軸方向に関して固定される連結を生み出すための周方向の溝４９を含む。周方向の溝４９は、受け入れソケット４４内の内側溝として設けられる。周方向の溝４９の１つの領域内には、アクセス用開口部５０が設けられ、これを介して、隣接する外管との軸方向の固定のための固定要素、特にリンクチェーン５７を挿入することができる。
【００４６】
図１および２の上部に示す端部において、外管４０は、雄接合部とも称され得るプラグ部５２を有する。プラグ部５２は、受け入れソケット４４の軸方向のリブ４７および軸方向の溝４８に対応する軸方向のリブ５３および軸方向の溝５４を含む。さらに、プラグ部５２は、プラグ部５２上の外側溝として設計される、周方向の溝４９に対応する周方向の溝５５を有する。受け入れソケット４４に対してプラグ部５２を軸方向に固定するために、リンクチェーン５７が周方向の溝４９，５５内に挿入される。
【００４７】
受け入れソケット４４の内側には、第１の装着スリーブ６０が、内側誘導コイル１００とも称され得る第１の誘導コイルを受け入れるために設けられる。第１の装着スリーブ６０は、内管２０の一部を形成する管形状のセクション６１を含む。さらに、第１の装着スリーブ６０は、外管４０上に支持されるための支持リング６２を備える。管形状のセクション６１の軸方向端部の領域には、隣接するロッド要素の内管との結合のための接合領域６４が設けられる。図示する実施形態では、接合領域６４は、雌接合領域として設計される。
【００４８】
内側誘導コイル１００を受け入れるために、径方向の受け入れ溝６６が、第１の装着スリーブ６０上、特にその管形状のセクション６１上に設計される。受け入れ溝６６は、管形状のセクション６１の外周に配置され、したがって外側溝と称され得る。
【００４９】
受け入れ溝６６に隣接して、係合溝または開口部６７が、内側誘導コイル１００の容易な取り外しのために設けられ、これもまた、特に図４、９、および１０から看取することができる。
【００５０】
支持リング６２と管形状のセクション６１の間には、ケーブルを通過させるためのケーブルチャネル７６が設けられる。
【００５１】
接合領域６４の反対側に位置する端部において、第１の装着スリーブ６０は、内管２０の基本管体２２、または内管２０の第１の中間部分２４もしくは総括的には結合部分に結合するための結合領域６８を含む。
【００５２】
ロッド要素１０は、図１および２において上部に表すその軸方向端部１３において、外側誘導コイル１１０を受け入れるように設計された第２の装着スリーブ８０を有する。第２の装着スリーブ８０は、内管２０の一部を形成する管形状のセクション８１を含む。管形状のセクション８１は、雄接合領域とも称され得る接合領域８４を有する。接合領域８４は、設計上、第１の装着スリーブ６０の接合領域６４に対応する。接合領域８４の反対側に位置するその端部では、第２の装着スリーブ８０を、内管２０の基本管体２２、または内管２０の第２の中間部分２６もしくは総括的には結合部分に結合させるための結合領域８８が、設けられる。
【００５３】
さらには、第２の装着スリーブ８０は、外管４０の一部の内周に、より具体的には外管の接合部４２と外管の基本管体４１の一方または双方に支えられるように設けられたスリーブ本体８２を備える。スリーブ本体８２の内周では、スリーブ本体８２は、外側誘導コイル１１０のための径方向の受け入れ溝８６を有する。受け入れ溝８６は、内側溝とも称され得、スリーブ本体８２の内周表面に沿って周方向に環状になって延びる。管形状のセクション８１とスリーブ本体８２の間には、ケーブルを通過させるためのケーブルチャネル９６が設けられる。
【００５４】
ケーブルリザーバのためのキャップ１８は、好ましくは外管４０の基本管体４１の軸方向端部に、特に第１および第２の中間部分２４、２６の一方または双方に隣接して配置される。
【００５５】
すでに記載しているように、本発明によるドリルロッドは、複数のロッド要素１０，１１を列として配置することによって作り出され得る。故に、本発明によるドリルロッドでは、特に、図１および２に示すロッド要素の下側軸方向端部に関連して説明した特徴を有する第１のロッド要素１０が設けられ得る。さらに、ロッド要素の上側の軸方向端部に関連して説明した特徴を有する第２のロッド要素１１が設けられ得る。したがって、図１および２はまた、それぞれの下側領域内には、第１のロッド要素１０が示され、それぞれの上側領域内には、第２のロッド要素１１が示されるようにして理解することもできる。ロッド要素１０，１１は互いに結合され得る。図５から２３に関連して説明した誘導コイルおよび装着スリーブは、任意選択で、第１のロッド要素１０または第２のロッド要素１１を参照することができる。
【００５６】
図５から１０は、内側誘導コイル１００および第１の装着スリーブ６０またはその一部の詳細をさらに示している。第１の装着スリーブ６０は、特に、内側誘導コイル１００を受け入れるように機能する。特に、図７から看取できるように、誘導コイル１００は、複数の、この場合は３つのリングセグメント部１０２を有する。誘導コイル１００は、２つのリングセグメント部１０２間に、開口部領域１０９またはスロットを有し、この開口部領域ではコイルを設けられた受け入れ溝６６内に挿入するためにリングセグメント部１０２同士を引き離す、または間隔を広げることができる。こうして分割された誘導コイル１００は、径方向の受け入れ溝６６内に容易に挿入され得る。
【００５７】
誘導コイル１００をしっかりと位置固定するために、ここでは一例として溝表面内の凹部として設計された固定手段７０が、受け入れ溝６６上に設けられる。これに合うように、誘導コイル１００は、この例ではコイルの内面上のピンとして設計された対応する固定手段１０８を有する。
【００５８】
図１１から１４は、例示的な実施形態により、内側誘導コイル１００のさらなる詳細を示している。内側誘導コイル１００は、いくつかの円弧形状のリングセグメント部１０２に分割されている。個々のリングセグメント部１０２を、プラグ連結器１０４を介して互いに連結することにより内側誘導コイル１００が構築される。プラグ連結器１０４はまた、コイル本体の一部、またはコイル本体の巻線を形成することもできる。２つのリングセグメント部１０２間には、いずれの場合も、プラグ連結器１０４を覆うカバー１０５が設けられる。
【００５９】
内側誘導コイル１００のさらなる詳細が、図２２において実施形態によって例示されている。リングセグメント部１０２の少なくとも一部は、回動継手１０６を介して互いに回動可能に連結される。回動継手１０６の回動の軸は、誘導コイル１００の長手方向軸に沿って通っている。コイル本体を伝送ラインに接続するために、電気接合手段または接合ライン１０７が、リングセグメント部１０２の１つに設けられる。前記接合ラインは、好ましくは、内側誘導コイル１００の開口部領域１０９内にまたはその近くに位置する。接合ライン１０７は、好ましくは誘導コイル１００の正面に配置される。
【００６０】
図１５から１７は、第２の装着スリーブ８０および外側誘導コイル１１０を示している。第２の装着スリーブ８０は、特に、外側誘導コイル１１０を受け入れるように機能する。外側誘導コイル１１０は、実質的に内側誘導コイル１００に合わせて設計され、外側誘導コイル１１０が内側誘導コイル１００の周りに配置され得るように内側誘導コイル１００と比べて大きい直径を有する。
【００６１】
図１８から２１は、外側誘導コイル１１０の別の例示的な実施形態を示している。外側誘導コイル１１０は、実質的に内側誘導コイル１００に対応しており、これも同様に、いくつかの円弧形状のリングセグメント部１１２に分割されている。複数のリングセグメント部１１２はプラグ連結器１１４を介して互いに連結され、これにより外側誘導コイル１１０が構成される。２つのリングセグメント部１１２間には、開口部領域１１９またはスロットが設けられ、設けられた受け入れ溝８６内に挿入するために、開口部領域において隣接するリングセグメント部を互いに引き寄せる、または間隔を狭めることができる。誘導コイル１１０は、したがって径方向の受け入れ溝８６内に容易に挿入され得る。
【００６２】
外側誘導コイル１１０のさらなる詳細を、図２３に示す。内側誘導コイル１００と一致して、リングセグメント部１１２の一部は、回動継手１１６を介して互いに回動可能に連結され、その場合、回動継手１１６の回動の軸は、誘導コイル１１０の長手方向軸に沿って延びている。２つのリングセグメント部１１２間には、プラグ連結器１１４を覆うカバー１１５が、いずれの場合にも設けられる。コイル本体を伝送ラインに連結するために、好ましくは開口部領域１１９内にまたはその近くに位置する電気接合手段または接合ライン１１７が設けられる。接合ライン１１７は、好ましくは誘導コイル１１０の正面に配置される。
【００６３】
誘導コイル１１０をしっかりと位置固定または回転に関して固定するために、ここでは例として溝表面内の凹部として設計された固定手段９０が、受け入れ溝８６上に設けられる。これに合わせて、誘導コイル１１０は、ここではコイルの外面上のピンとして設計された対応する固定手段１１８を有する。誘導コイル１１０の固定手段１１８は、第２の装着スリーブ８０の固定手段９０に係合させることができる。
【００６４】
内側誘導コイルおよび外側誘導コイルのいずれも、少なくとも１つの巻線を備えたコイル本体を有する。コイル本体の１つまたは恐らくは複数の巻線は、基本的には、任意の選択された形で配置され得る。たとえば、誘導コイル１００、１１０は、円周方向に１つまたは複数の巻線を有することができる。しかし、誘導コイル１００、１１０はまた、１つまたは複数の巻線が、トロイダルコアと称され得るリングに巻き付けられるいわゆる環状コイルとして設計されてもよい。
【符号の説明】
【００６５】
１  ドリルロッド、１０，１１  ロッド要素、１２  第１の軸方向端部、１３  第２の軸方向端部、１４  ドリルロッドの長手方向軸、１５  チャネル、１６  受け入れ空間、１７  ケーブル（伝送ライン）、１８  キャップ、２０  内管、２２  基本管体、２４  第１の中間部分、２６  第２の中間部分、２８  軸方向チャネル、４０  外管、４２  接合部分、４４  受け入れソケット、４５  第１のソケット部、４６  第２のソケット部、４７，５３  軸方向リブ、４８，５４  軸方向溝、４９，５５  周方向の溝、５０  アクセス用開口部、５２  プラグ部、５７  リンクチェーン、６０  第１の装着スリーブ、６１，８１  管形状のセクション、６２  支持リング、６４，８４  接合領域、６６，８６  径方向の受け入れ溝、６７  開口部、６８，８８  結合領域、７０  固定手段、７６，９６  ケーブルチャネル、８０  第２の装着スリーブ、８２  スリーブ本体、１００  内側誘導コイル、１０２，１１２  リングセグメント部、１０４，１１４  プラグ連結器、１０５，１１５  カバー、１０６，１１６  回動継手、１０７，１１７  接合ライン、１０８，１１８  固定手段、１０９，１１９  開口部領域、１１０  外側誘導コイル。
【図１】
0005226885.tif 000002
【図２】
0005226885.tif 000003
【図３】
0005226885.tif 000004
【図４】
0005226885.tif 000005
【図５】
0005226885.tif 000006
【図６】
0005226885.tif 000007
【図７】
0005226885.tif 000008
【図８】
0005226885.tif 000009
【図９】
0005226885.tif 000010
【図１０】
0005226885.tif 000011
【図１１】
0005226885.tif 000012
【図１２】
0005226885.tif 000013
【図１３】
0005226885.tif 000014
【図１４】
0005226885.tif 000015
【図１５】
0005226885.tif 000016
【図１６】
0005226885.tif 000017
【図１７】
0005226885.tif 000018
【図１８】
0005226885.tif 000019
【図１９】
0005226885.tif 000020
【図２０】
0005226885.tif 000021
【図２１】
0005226885.tif 000022
【図２２】
0005226885.tif 000023
【図２３】
0005226885.tif 000024